【手続補正書】
【提出日】平成19年6月12日(2007.6.12)
【手続補正１】
【補正対象書類名】特許請求の範囲
【補正対象項目名】全文
【補正方法】変更
【補正の内容】
【特許請求の範囲】
【請求項１】
テーププリンタの印刷用テープを収容するテープカートリッジであって、
筐体を構成する下ケースと上ケースと、を備え、
前記上ケースは、透明な再生材により成形され、前記印刷用テープ識別用の識別ラベルを貼り付けるラベル貼付部と、前記印刷用テープのテープ残量を確認するためのテープ残量確認窓と、を有し、
前記テープ残量確認窓の板厚は、前記ラベル貼付部の板厚よりも薄く形成されていることを特徴とするテープカートリッジ。
【請求項２】
テーププリンタの印刷用テープを収容するテープカートリッジであって、
筐体を構成する下ケースと上ケースと、を備え、
前記上ケースは、再生材により成形され、前記印刷用テープのテープ残量を確認するためのテープ残量確認窓を有し、
前記テープ残量確認窓は、貫通孔で構成されることを特徴とするテープカートリッジ。
【請求項３】
請求項２に記載のテープカートリッジであって、
前記テープ残量確認窓は、スリット状の複数の貫通孔で構成されることを特徴とするテープカートリッジ。
【請求項４】
テーププリンタの印刷用テープを収容するテープカートリッジであって、
筐体を構成する下ケースと上ケースと、を備え、
前記上ケースは、透明な再生材により成形され、前記印刷用テープのテープ残量を確認するためのテープ残量確認窓を有し、
前記テープ残量確認窓は、前記テープ残量確認窓の外縁部から内方に向かい薄くなるように成形された傾斜部と、前記傾斜部に連なり前記印刷用テープの残量確認を行う均一の薄板厚部と、から成ることを特徴とするテープカートリッジ。
【請求項５】
請求項１ないし請求項４のいずれか１項に記載のテープカートリッジであって、
前記テープ残量確認窓には、当該テープ残量確認窓を補強する補強用リブが設けられていることを特徴とするテープカートリッジ。
【請求項６】
請求項１ないし請求項４のいずれか１項に記載のテープカートリッジであって、
前記テープ残量確認窓は、前記印刷用テープの巻回領域に対応した領域に設けられていることを特徴とするテープカートリッジ。
【請求項７】
請求項１ないし請求項６のいずれか１項に記載のテープカートリッジが、着脱自在に装着されるカートリッジ装着部を、備えたことを特徴とするテーププリンタ。
【請求項８】
請求項７に記載のテーププリンタであって、
前記カートリッジ装着部を開閉する開閉蓋を、更に備え、
前記開閉蓋には、装着した前記テープカートリッジの前記テープ残量確認窓を介して、前記テープ残量を確認する窓が形成されていることを特徴とするテーププリンタ。
【手続補正２】
【補正対象書類名】明細書
【補正対象項目名】０００８
【補正方法】変更
【補正の内容】
【０００８】
上述した目的を達成するために、本発明は、テーププリンタの印刷用テープを収容するテープカートリッジであって、筐体を構成する下ケースと上ケースと、を備え、上ケースは、透明な再生材により成形され、印刷用テープ識別用の識別ラベルを貼り付けるラベル貼付部と、印刷用テープのテープ残量を確認するためのテープ残量確認窓と、を有し、テープ残量確認窓の板厚は、ラベル貼付部の板厚よりも薄く形成されていることを特徴とする。
【手続補正３】
【補正対象書類名】明細書
【補正対象項目名】００１０
【補正方法】変更
【補正の内容】
【００１０】
上述した目的を達成するために、本発明は、テーププリンタの印刷用テープを収容するテープカートリッジであって、筐体を構成する下ケースと上ケースと、を備え、上ケースは、再生材により成形され、印刷用テープのテープ残量を確認するためのテープ残量確認窓を有し、テープ残量確認窓は、貫通孔で構成されることを特徴とするテープカートリッジ。
【手続補正４】
【補正対象書類名】明細書
【補正対象項目名】００１２
【補正方法】変更
【補正の内容】
【００１２】
また、本発明の好ましい態様によれば、上記テープカートリッジであって、テープ残量確認窓は、スリット状の複数の貫通孔で構成されることを特徴とする。
【手続補正５】
【補正対象書類名】明細書
【補正対象項目名】００１４
【補正方法】変更
【補正の内容】
【００１４】
上述した目的を達成するために、本発明は、テーププリンタの印刷用テープを収容するテープカートリッジであって、筐体を構成する下ケースと上ケースと、を備え、上ケースは、透明な再生材により成形され、印刷用テープのテープ残量を確認するためのテープ残量確認窓を有し、テープ残量確認窓は、テープ残量確認窓の外縁部から内方に向かい薄くなるように成形された傾斜部と、傾斜部に連なり印刷用テープの残量確認を行う均一の薄板厚部と、から成ることを特徴とする。
【手続補正６】
【補正対象書類名】明細書
【補正対象項目名】００１６
【補正方法】変更
【補正の内容】
【００１６】
また、本発明の好ましい態様によれば、上記テープカートリッジであって、テープ残量確認窓には、テープ残量確認窓を補強する補強用リブが設けられていることを特徴とする。
【手続補正７】
【補正対象書類名】明細書
【補正対象項目名】００１８
【補正方法】変更
【補正の内容】
【００１８】
また、本発明の好ましい態様によれば、上記テープカートリッジであって、テープ残量確認窓は、印刷用テープの巻回領域に対応した領域に設けられていることを特徴とする。
【手続補正８】
【補正対象書類名】明細書
【補正対象項目名】００２０
【補正方法】変更
【補正の内容】
【００２０】
上述した目的を達成するために、本発明は、テーププリンタであって、上記テープカートリッジが、着脱自在に装着されるカートリッジ装着部を、備えたことを特徴とする。
【手続補正９】
【補正対象書類名】明細書
【補正対象項目名】００２２
【補正方法】変更
【補正の内容】
【００２２】
また、本発明の好ましい態様によれば、上記テーププリンタであって、カートリッジ装着部を開閉する開閉蓋を、更に備え、開閉蓋には、装着したテープカートリッジのテープ残量確認窓を介して、テープ残量を確認する窓が形成されていることを特徴とする。
【手続補正１０】
【補正対象書類名】明細書
【補正対象項目名】００３４
【補正方法】変更
【補正の内容】
【００３４】
印刷部２２０は、テープカートリッジ１からテープ状部材３０を繰り出し送りながら、印刷情報に基づいて印刷を行う。ヘッドカバー１３０で覆われたヘッドユニット１３２と、テープ状部材３０を繰り出しながら送っていくテープ送り機構２４０とを備えている。ヘッドユニット１３２は、サーマルヘッドで構成された印刷ヘッド１３３と、印刷ヘッド１３３を回動自在に支持するヘッドホルダ（図示省略）とを備えている。図示省略したが、開閉蓋１２０が閉じると、これに連動して、プラテンローラ４６に対し、テープ状部材３０及びインクリボン４０を介して、サーマルヘッドで構成された印刷ヘッド１３３を押圧する。また、開閉蓋１２０が開くと、これに連動して、印刷ヘッド１３３の押圧を解除する。
【手続補正１１】
【補正対象書類名】明細書
【補正対象項目名】００５８
【補正方法】変更
【補正の内容】
【００５８】
図７に示すように、テープ残量確認窓５０は、貫通孔で構成され、併せて、その貫通孔及び貫通孔の周囲を補強するために、補強用のリブ５２が形成されている。また、テープ残量確認窓５０の位置及び領域は、図３で示したと同様である。そして、リブ５２は、テープ残量確認窓５０の領域内であって、テープリール２０のテープ状部材３０が最大に巻回された状態から最小に巻回された状態までの巻回領域Ｗをテープ残量確認窓５０で確認できる領域を妨げない位置に形成されている。リブ５２は、テープ残量確認窓５０の長辺方向を橋渡しするように複数本（本実施形態では３本）で形成されている。また、リブ５２は、ラベル貼付部６０の内面側にテープリール２０に影響を与えない隙間を確保する位置から外観面側に突出するように形成されている。